(57)【要約】【課題】複数の映像出力のうち少なくとも拡大表示側のフォーカスガイドを表示できるようにする技術を実現する。【解決手段】電子機器は、第１の表示手段に映像を出力する第１の出力手段と、第２の表示手段に映像を出力する第２の出力手段と、前記第１の表示手段および前記第２の表示手段においてライブビュー画像の拡大表示を行わない場合には、前記第１の表示手段および前記第２の表示手段の両方へ、フォーカス検出領域の合焦度合を示すガイドをライブビュー画像に重畳した映像を出力するように制御し、前記第１の表示手段においてライブビュー画像の拡大表示を行う場合、前記ライブビュー画像のうち前記フォーカス検出領域を含む一部の領域を拡大した映像に前記ガイドを重畳した映像を前記第１の表示手段へ出力するとともに、前記第２の表示手段には前記ガイドを重畳しない前記ライブビュー画像を出力するように制御する制御手段と、を有する。【選択図】図３
2019186728.tif 000002
【特許請求の範囲】
【請求項１】
第１の表示手段に映像を出力する第１の出力手段と、
第２の表示手段に映像を出力する第２の出力手段と、
前記第１の表示手段および前記第２の表示手段においてライブビュー画像の拡大表示を行わない場合には、前記第１の表示手段および前記第２の表示手段の両方へ、フォーカス検出領域の合焦度合を示すガイドをライブビュー画像に重畳した映像を出力するように制御し、
前記第１の表示手段においてライブビュー画像の拡大表示を行う場合、前記ライブビュー画像のうち前記フォーカス検出領域を含む一部の領域を拡大した映像に前記ガイドを重畳した映像を前記第１の表示手段へ出力するとともに、前記第２の表示手段には前記ガイドを重畳しない前記ライブビュー画像を出力するように制御する制御手段と、を有することを特徴とする電子機器。
【請求項２】
第１の表示手段に映像を出力する第１の出力手段と、
第２の表示手段に映像を出力する第２の出力手段と、
前記第１の表示手段および前記第２の表示手段においてライブビュー画像の拡大表示を行わない場合には、前記第１の表示手段および前記第２の表示手段の両方へ、第１のサイズのフォーカス検出領域の合焦度合を示すガイドをライブビュー画像に重畳した映像を出力するように制御し、
前記第１の表示手段においてライブビュー画像の拡大表示を行う場合、前記第１のサイズのフォーカス検出領域に内包されるフォーカス検出領域であって、前記ライブビュー画像の全体に対する相対的な大きさが前記第１のサイズよりも小さい第２のサイズであるフォーカス検出領域を含む一部の領域を拡大した映像に、前記第２のサイズのフォーカス検出領域の合焦度合いを示すガイドを重畳した映像を前記第１の表示手段へ出力するように制御する制御手段と、を有することを特徴とする電子機器。
【請求項３】
前記制御手段は、前記第１の表示手段において前記ライブビュー画像の拡大表示を行う場合、前記ライブビュー画像のうち前記第２のサイズのフォーカス検出領域を含む一部の領域を拡大した映像に前記第２のサイズのフォーカス検出領域のガイドを第１の表示形態で重畳した映像を前記第１の表示手段へ出力するとともに、前記第２の表示手段には前記第２のサイズのフォーカス検出領域のガイドを前記第１の表示形態と異なる第２の表示形態で前記ライブビュー画像に重畳した映像を出力するように制御することを特徴とする請求項２に記載の電子機器。
【請求項４】
第１の表示手段に映像を出力する第１の出力手段と、
第２の表示手段に映像を出力する第２の出力手段と、
前記第１の表示手段および前記第２の表示手段においてライブビュー画像の拡大表示を行わない場合には、前記第１の表示手段および前記第２の表示手段の両方へ、フォーカス検出領域の合焦度合を示すガイドをライブビュー画像に重畳した映像を出力するように制御し、
前記第１の表示手段において前記ライブビュー画像の拡大表示を行う場合、前記ライブビュー画像のうち前記フォーカス検出領域を含む一部の領域を拡大した映像に前記ガイドを第１の表示形態で重畳した映像を前記第１の表示手段へ出力するとともに、前記第２の表示手段には前記ガイドを前記第１の表示形態と異なる第２の表示形態で前記ライブビュー画像に重畳した映像を出力するように制御する制御手段と、を有することを特徴とする電子機器。
【請求項５】
前記制御手段は、拡大倍率が所定の閾値以上となった場合は、前記第２の表示手段に前記ガイドを表示しないように制御することを特徴とする請求項１から４のいずれか１項に記載の電子機器。
【請求項６】
前記制御手段は、前記第１の表示手段において前記ライブビュー画像の拡大表示を行う場合、前記第１の表示手段および前記第２の表示手段の両方へ、拡大表示されていることを示す表示要素を前記ライブビュー画像に重畳した映像を出力することを特徴とする請求項１から５のいずれか１項に記載の電子機器。
【請求項７】
前記制御手段は、拡大表示を行っているか否かにかかわらず、前記第１の表示手段および前記第２の表示手段の両方へ、フォーカス動作に関する表示要素をライブビュー画像に重畳した映像を出力することを特徴とする請求項１から６のいずれか１項に記載の電子機器。
【請求項８】
前記第１の表示手段において前記ライブビュー画像の拡大表示を行う場合、前記制御手段は、拡大倍率に応じて前記ライブビュー画像を拡大して前記第１の表示手段に出力し、
前記第２の表示手段には、前記ライブビュー画像を拡大しないで出力することを特徴とする請求項１から７のいずれか１項に記載の電子機器。
【請求項９】
前記ガイドおよび前記表示要素の表示用データは共通のＶＲＡＭに保持されることを特徴とする請求項６または７に記載の電子機器。
【請求項１０】
前記ガイドは、前記フォーカス検出領域の位置を示す枠と、前記フォーカス検出領域の合焦状態を示す指標とを含み、
前記指標は前記合焦状態に応じて表示形態が異なることを特徴とする請求項１から９のいずれか１項に記載の電子機器。
【請求項１１】
前記ガイドは、前記フォーカス検出領域の位置を示す枠と、前記フォーカス検出領域の合焦状態を示す指標とを含み、
前記第１の表示手段においてライブビュー画像の拡大表示を行う場合、前記制御手段は、前記枠のサイズを前記第２のサイズに変更し、前記指標のサイズは変更しないように制御することを特徴とする請求項２に記載の電子機器。
【請求項１２】
前記制御手段は、拡大倍率に応じて前記ガイドのサイズを変更し、
前記拡大倍率が所定の閾値以上の場合は前記第２の表示手段に前記ガイドとして前記枠と前記指標とを表示し、
前記拡大倍率が前記所定の閾値未満の場合は前記第２の表示手段に前記ガイドとして前記枠のみを表示することを特徴とする請求項１０または１１に記載の電子機器。
【請求項１３】
前記第１の表示手段は、前記電子機器に外部機器として接続された表示装置であり、
前記第２の表示手段は、前記電子機器が備える表示装置であることを特徴とする請求項１から１２のいずれか１項に記載の電子機器。
【請求項１４】
前記ライブビュー画像を撮像する撮像手段をさらに有することを特徴とする請求項１から１３のいずれか１項に記載の電子機器。
【請求項１５】
第１の表示手段に映像を出力する第１の出力手段と、第２の表示手段に映像を出力する第２の出力手段と、を有する電子機器の制御方法であって、
前記第１の表示手段および前記第２の表示手段においてライブビュー画像の拡大表示を行わない場合には、前記第１の表示手段および前記第２の表示手段の両方へ、フォーカス検出領域の合焦度合を示すガイドをライブビュー画像に重畳した映像を出力するように制御し、
前記第１の表示手段においてライブビュー画像の拡大表示を行う場合、前記ライブビュー画像のうち前記フォーカス検出領域を含む一部の領域を拡大した映像に前記ガイドを重畳した映像を前記第１の表示手段へ出力するとともに、前記第２の表示手段には前記ガイドを重畳しない前記ライブビュー画像を出力するように制御することを特徴とする電子機器の制御方法。
【請求項１６】
第１の表示手段に映像を出力する第１の出力手段と、第２の表示手段に映像を出力する第２の出力手段と、を有する電子機器の制御方法であって、
前記第１の表示手段および前記第２の表示手段においてライブビュー画像の拡大表示を行わない場合には、前記第１の表示手段および前記第２の表示手段の両方へ、第１のサイズのフォーカス検出領域の合焦度合を示すガイドをライブビュー画像に重畳した映像を出力するように制御し、
前記第１の表示手段においてライブビュー画像の拡大表示を行う場合、前記第１のサイズのフォーカス検出領域に内包されるフォーカス検出領域であって、前記ライブビュー画像の全体に対する相対的な大きさが前記第１のサイズよりも小さい第２のサイズであるフォーカス検出領域を含む一部の領域を拡大した映像に、前記第２のサイズのフォーカス検出領域の合焦度合いを示すガイドを重畳した映像を前記第１の表示手段へ出力するように制御することを特徴とする電子機器の制御方法。
【請求項１７】
第１の表示手段に映像を出力する第１の出力手段と、第２の表示手段に映像を出力する第２の出力手段と、を有する電子機器の制御方法であって、
前記第１の表示手段および前記第２の表示手段においてライブビュー画像の拡大表示を行わない場合には、前記第１の表示手段および前記第２の表示手段の両方へ、フォーカス検出領域の合焦度合を示すガイドをライブビュー画像に重畳した映像を出力するように制御し、
前記第１の表示手段において前記ライブビュー画像の拡大表示を行う場合、前記ライブビュー画像のうち前記フォーカス検出領域を含む一部の領域を拡大した映像に前記ガイドを第１の表示形態で重畳した映像を前記第１の表示手段へ出力するとともに、前記第２の表示手段には前記ガイドを前記第１の表示形態と異なる第２の表示形態で前記ライブビュー画像に重畳した映像を出力するように制御することを特徴とする電子機器の制御方法。
【請求項１８】
コンピュータを、請求項１から１４のいずれか１項に記載された電子機器の各手段として機能させるためのプログラム。
【請求項１９】
コンピュータを、請求項１から１４のいずれか１項に記載された電子機器の各手段として機能させるためのプログラムを格納したコンピュータが読み取り可能な記憶媒体。
【発明の詳細な説明】
【技術分野】
【０００１】
本発明は、ユーザがフォーカス調整を行うためのフォーカスガイドの表示制御技術に関する。
【背景技術】
【０００２】
デジタルスチルカメラやデジタルビデオカメラ等の電子機器において、ユーザがマニュアルでフォーカス調整を行う操作を容易に行えるようにするためのフォーカスガイド機能がある。フォーカスガイド機能は、ライブビュー画像の一部を拡大表示する機能や任意の領域の合焦度合を示すフォーカスガイドをライブビュー画像に重畳表示する機能である。
【０００３】
特許文献１には、ライブビュー画像の表示倍率に応じて、ライブビュー画像に重畳するガイドの表示形態を異ならせ、ライブビュー画像の拡大表示時にガイドが表示領域に収まるように制御することが記載されている。
【先行技術文献】
【特許文献】
【０００４】
【特許文献１】特開２０１６−１９７１８２号公報
【発明の概要】
【発明が解決しようとする課題】
【０００５】
デジタルスチルカメラやデジタルビデオカメラには、複数の表示装置に同時にライブビュー画像を出力可能なものがある。例えば、映像制作の現場では、このような複数の映像出力を利用して、カメラに内蔵されたビューファインダーでカメラマンが構図を決めながら、外部モニタでフォーカスマンがフォーカス調整を行うユースケースが想定される。このようなケースでは、外部モニタだけに拡大表示を行うことが多く、同時に表示するフォーカスガイドは、拡大表示された外部モニタにおいてより効果が得られるようにすることが望ましい。
【０００６】
本発明は、上記課題に鑑みてなされ、その目的は、複数の映像出力のうち少なくとも拡大表示側のフォーカスガイドを表示できるようにする技術を実現することである。
【課題を解決するための手段】
【０００７】
上記課題を解決するために、本発明の電子機器は、第１の表示手段に映像を出力する第１の出力手段と、第２の表示手段に映像を出力する第２の出力手段と、前記第１の表示手段および前記第２の表示手段においてライブビュー画像の拡大表示を行わない場合には、前記第１の表示手段および前記第２の表示手段の両方へ、フォーカス検出領域の合焦度合を示すガイドをライブビュー画像に重畳した映像を出力するように制御し、前記第１の表示手段においてライブビュー画像の拡大表示を行う場合、前記ライブビュー画像のうち前記フォーカス検出領域を含む一部の領域を拡大した映像に前記ガイドを重畳した映像を前記第１の表示手段へ出力するとともに、前記第２の表示手段には前記ガイドを重畳しない前記ライブビュー画像を出力するように制御する制御手段と、を有する。
【発明の効果】
【０００８】
本発明によれば、複数の映像出力のうち少なくとも拡大表示側のフォーカスガイドが表示できるようになる。
【図面の簡単な説明】
【０００９】
【図１】デジタルカメラの構成を示すブロック図。
【図２】撮像素子の受光面の説明図。
【図３】実施形態１の撮影モード処理を示すフローチャート。
【図４】図３のフォーカスガイド描画処理を示すフローチャート。
【図５】実施形態１の画面表示例を示す図。
【図６】枠と指標のデータの表示例を示す図。
【図７】実施形態２の撮影モード処理を示すフローチャート。
【図８】図７のフォーカスガイド描画処理を示すフローチャート。
【図９】実施形態２の画面表示例を示す図。
【発明を実施するための形態】
【００１０】
以下に、本発明の撮像装置を、静止画や動画を撮影可能なデジタルカメラに適用した実施の形態について、添付図面を参照して詳細に説明する。
【００１１】
［実施形態１］
＜ハードウェア構成＞
図１に、本実施形態の電子機器の一例としてのデジタルカメラ１０のハードウェア構成の一例を示す。
【００１２】
筺体１００は、デジタルカメラ１０の構成要素の多くを内包する外装であり、各種の操作部や表示部１０７、外部出力部１２１は筺体１００の表面に露出している。
【００１３】
交換レンズ１０１は、複数のレンズ群からなる撮影レンズであり、フォーカスレンズ、ズームレンズ、シフトレンズを内部に備えるほか、絞りを含む。
【００１４】
撮像素子１０２は、光電変換素子を有する画素が複数、二次元状に配列された構成を有する。撮像素子１０２は、交換レンズ１０１により結像された被写体光学像を各画素で光電変換し、さらにＡ／Ｄ変換回路によってアナログ・デジタル変換して、画素単位の画像信号（ＲＡＷ画像データ）を出力する。本実施形態に用いる撮像素子１０２と、関連する測距部１０８の詳細は、図２を用いて後述する。
【００１５】
ＮＤフィルタ１０３はレンズに備えられた絞りとは別に入射光量を調節するためにデジタルカメラ１０に設けられたものである。
【００１６】
画像処理部１１８は、撮像素子１０２に起因するレベル差を補正する。例えば、ＯＢ（ｏｐｔｉｃａｌ  ｂｌａｃｋ）領域の画素を用いて、有効領域の画素のレベルを補正するほか、欠陥画素に対して周囲画素を用いた補正を行う。また、周辺光量落ちに対する補正、色補正、輪郭強調、ノイズ除去、ガンマ補正、ディベイヤー、圧縮などの各処理を行う。画像処理部１１８は、撮像素子１０２から入力されたＲＡＷ画像データに対して上記処理を行うと、他のブロックへ補正した画像データを出力する。
【００１７】
記録媒体Ｉ／Ｆ部１０４は、記録媒体１０５とデジタルカメラ１０とのインターフェースであり、記録媒体１０５に対して、画像処理部１１８から入力された画像データの記録や記録した画像データの読み出しを制御する。
【００１８】
記録媒体１０５は、撮影された画像データを記録するための半導体メモリ等で構成される記録媒体であり、記録媒体Ｉ／Ｆ部１０４による制御に応じて画像データの記録や記録された画像データの読み出しを実行する。記録媒体１０５は、着脱可能なメモリーカード等である。なお、内蔵の記録媒体でもよい。
【００１９】
ＧＰＵ１１５は、デジタルカメラ１０の各種情報表示やメニュー画面をＶＲＡＭに描画するレンダリングエンジンである。文字列や図形の描画機能以外に、拡大縮小描画機能や、回転描画機能、レイヤ合成機能を備えている。描画したＶＲＡＭは透過度を表すアルファチャネルを備えており、表示用Ｉ／Ｆ部１０６によって映像（撮像画像や再生画像）上にオンスクリーン表示（ＯＳＤ）することができる。
【００２０】
表示用Ｉ／Ｆ部１０６は、画像処理部１１８からの画像データ（ライブビュー画像を含む）およびＧＰＵ１１５でＶＲＡＭに描画した表示用データに対して、重畳合成およびリサイズ処理を行い、表示部１０７へ出力する（表示する）。拡大表示モードに設定されている場合は、表示用Ｉ／Ｆ部１０６は映像データの部分領域に対して重畳合成およびリサイズ処理を行う。その結果、拡大表示モードでは、通常（等倍）表示モード時よりも拡大された映像が表示部１０７に表示されるため、ユーザがマニュアルでのフォーカス調整操作をより正確に行いやすくなる。
【００２１】
表示部１０７は、表示用Ｉ／Ｆ部１０６から出力された映像データを表示する筐体１００に取り付けられた本体モニタや、ファインダ内の表示部である。表示部１０７は、液晶ディスプレイや有機ＥＬディスプレイ（Ｏｒｇａｎｉｃ  Ｌｉｇｈｔ−Ｅｍｉｔｔｉｎｇ  Ｄｉｏｄｅ  Ｄｉｓｐｌａｙ）などで構成可能である。
【００２２】
本体マイコン１１９は、デジタルカメラ１０の全体の動作を制御する制御部であり、マイクロコンピュータなどで構成される。本体マイコン１１９は、ＣＰＵ１１９ａ、ＲＯＭ１１９ｂ、ＲＡＭ１１９ｃを備える。ＣＰＵ１１９ａは、ＲＯＭ１１９ｂに記憶されたプログラムを、ＲＡＭ１１９ｃに展開して実行することにより、後述の各種フローチャートの動作を実行する。ＲＡＭ１１９ｃは、ＧＰＵ１１５が描画するＶＲＡＭを内包している。
【００２３】
以下に説明するゲイン制御部１０９、シャッター制御部１１０、ＮＤ制御部１１１および絞り制御部１１２は、いずれも露出制御のための機能ブロックである。これらは、それぞれ画像処理部１１８の出力した画像データの輝度レベルを本体マイコン１１９で算出した結果に基づいて、あるいは撮影者がマニュアル設定した動作パラメータに基づいて、本体マイコン１１９によって制御される。
【００２４】
ゲイン制御部１０９は、撮像素子１０２のゲインを制御する。シャッター制御部１１０は、撮像素子１０２のシャッタースピードを制御する。ＮＤ制御部１１１は、ＮＤフィルタ１０３を介して撮像素子１０２に入射する光量を制御する。絞り制御部１１２は、交換レンズ１０１の絞りを制御する。
【００２５】
フォーカス制御部１１３は、本体マイコン１１９に保持されているフォーカス制御モードの設定がオートフォーカス（以下、ＡＦともいう）であるかマニュアルフォーカス（以下、ＭＦともいう）であるかによって異なる動作を行う。
【００２６】
ＡＦの場合は、画像処理部１１８から出力された画像データを参照して本体マイコン１１９でフォーカスの合焦情報を算出し、算出した合焦情報に基づいてフォーカス制御部１１３が交換レンズ１０１内のフォーカスレンズを制御する。あるいは、撮像面位相差検出方式によって測距部１０８から出力されたデフォーカス量に基づいてフォーカス制御部１１３が交換レンズ１０１のフォーカスレンズを制御する。
【００２７】
なお、画像データの部分領域にＡＦ枠を設定し、ＡＦ枠内の被写体のみに基づいてフォーカス情報を算出することもできる。ＡＦは、本体マイコン１１９で実行する処理によって、さらに２つの動作モードを備えている。１つはワンショットＡＦモードであり、ワンショットＡＦキー１２９が押下されたときだけＡＦ制御を行い、合焦成功または合焦失敗が確定した後はフォーカス制御部１１３のＡＦ制御を停止するモードである。もう１つはコンティニュアスＡＦモード（サーボＡＦ）であり、常にＡＦ制御を行うモードである。ただし、コンティニュアスＡＦモードであっても、ＡＦロックキー１３０の押下によってＡＦロック状態に設定されている場合は、フォーカス制御部１１３でのＡＦ制御を停止する。上述した２つのＡＦの切り替えはメニュー画面での設定変更操作により行う。
【００２８】
ＭＦの場合は、フォーカス制御部１１３はＡＦ制御を停止する。そして、ユーザが交換レンズ１０１に組み込まれたフォーカスリング１３４をマニュアルで回転させることによって、画像データにおけるフォーカス検出領域（フォーカス枠）で囲まれた領域に対して任意のフォーカス調整操作を行うことができる。
【００２９】
防振制御部１１４は、画像処理部１１８から出力された画像データを参照して本体マイコン１１９で被写体の動きベクトルを算出し、算出した動きベクトルに基づいて手ブレを相殺するように交換レンズ１０１内のシフトレンズを制御する光学式防振処理を行う。あるいは、防振制御部１１４は手ブレによる像ブレを相殺する方向に動画の各フレームで画像を切り出す電子式防振処理を行う。
【００３０】
メモリＩ／Ｆ（インターフェース）部１１６は、撮像素子１０２から出力された全画素分のＲＡＷ画像データをメモリ１１７に書き込み、また、メモリ１１７に保持されたＲＡＷ画像データを読み出して画像処理部１１８に出力する。
【００３１】
メモリ１１７は、数フレームの全画素分のＲＡＷ画像データを保持することが可能な容量を有する揮発性の記憶媒体である。
【００３２】
画像処理部１１８は、メモリＩ／Ｆ部１１６から送出された全画素分のＲＡＷ画像データについて、制御に必要な画像処理を行う。
【００３３】
外部出力Ｉ／Ｆ部１２０は、画像処理部１１８により生成された画像データにリサイズ処理を行う。また、外部出力Ｉ／Ｆ部１２０は、外部出力部１２１の規格に適した信号変換および制御信号の付与を行い、外部出力部１２１へ出力する。また、外部出力Ｉ／Ｆ部１２０は、表示用Ｉ／Ｆ部１０６と同様に、ＧＰＵ１１５がＶＲＡＭに描画したデータを映像データに重畳合成することもできる。
【００３４】
外部出力部１２１は、映像データを外部出力する端子であり、例えばＳＤＩ（Ｓｅｒｉａｌ  Ｄｉｇｉｔａｌ  Ｉｎｔｅｒｆａｃｅ）端子やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子である。外部出力部１２１は、外部機器である外部モニタや、外部記録装置が接続可能である。
【００３５】
外部操作用Ｉ／Ｆ部１２２は、外部操作部１２３による制御指示を受信し、本体マイコン１１９へ通知する機能モジュールである。外部操作用Ｉ／Ｆ部１２２は、例えば、赤外線リモコン受光部や、無線ＬＡＮ（Ｌｏｃａｌ  Ａｒｅａ  Ｎｅｔｗｏｒｋ）インターフェースや、ＬＡＮＣ（登録商標）（Ｌｏｃａｌ  Ａｐｐｌｉｃａｔｉｏｎ  Ｃｏｎｔｒｏｌ  ｂｕｓ  ｓｙｓｔｅｍ）である。
【００３６】
外部操作部１２３は、外部操作用Ｉ／Ｆ部１２２に対して制御指示（制御コマンド）を送信する。筺体１００や交換レンズ１０１に組み込まれた操作部１２４〜１３５の各部の操作に相当する指示（コマンド）を送信することができるほか、表示部１０７で表示するメニュー画面における設定変更情報を送信することができる。
【００３７】
操作部１２４〜１３５は、キー（ボタン）やダイヤル、タクトスイッチ、リング等の操作部材である。また、操作部１２４〜１３５は、表示部１０７に対するタッチ検出が可能なタッチパネルを含む。いずれもユーザの操作を受け付け、本体マイコン１１９に対して制御指示を通知する役割を担っている。メニューキー１２４からＳＴＡＲＴ／ＳＴＯＰキー１３３は筺体１００に組み付けられている本体側の操作部である。フォーカスリング１３４とＡＦ／ＭＦスイッチ１３５は、交換レンズ１０１に組み付けられているレンズ側の操作部である。これらの操作部の一部は、メニュー画面での設定変更によって、キーの役割を交換したり、別の機能にアサインしたりすることも可能である。
【００３８】
メニューキー１２４は、表示部１０７にメニュー画面を表示する指示、あるいはすでに開いているメニュー画面を閉じる指示を行う。
【００３９】
十字キー１２５およびダイヤル１２６は、どちらもメニュー画面で項目を選択するためのカーソルを移動したり、フォーカス枠の表示位置をユーザの望む方向へ移動したりする指示を行う。十字キー１２５は、上キー、下キー、左キー、右キーよりなる方向キーであり、それぞれ別体の操作部材であってもいいし、同一の操作部材として構成して押下する位置に応じて上下左右のいずれかの指示が行えるように構成してもよい。ダイヤル１２６は、時計回りの操作と反時計回りの操作が行える回転操作部材である。
【００４０】
ＳＥＴキー１２７は、メニュー画面でカーソルの当たっている項目を選択したり、各種の設定操作を確定したりする指示を行う。
【００４１】
キャンセルキー１２８は、メニュー画面で深い階層の選択を行っているときに１つ前の階層へ戻ったり、各種の設定操作を破棄したりする指示を行う。
【００４２】
ワンショットＡＦキー１２９は、ＡＦモードがワンショットＡＦである場合に、フォーカス制御部１１３によってＡＦ動作を実行する指示を行う。
【００４３】
ＡＦロックキー１３０は、ＡＦモードがコンティニュアスＡＦである場合に、フォーカス制御部１１３によるＡＦ制御を停止させる停止指示、停止状態を解除する解除指示を行う。
【００４４】
拡大キー１３１は、表示部１０７に表示される映像の拡大倍率を変更する指示を行う。拡大キー１３１が押下されるごとに拡大倍率を増加し、所定の回数だけ押下されると等倍に戻す指示を行う。
【００４５】
ＤＩＳＰＬＡＹキー１３２は、本体マイコン１１９に保持されているＤｉｓｐレベルの設定を変更する指示を行う。ユーザはＤｉｓｐレベルを選択することによって、表示部１０７に表示される各種情報を制限したり、より詳細な情報を表示したり、映像をより詳細に表示することができる。Ｄｉｓｐレベルは、映像に重畳して表示する各種情報を、どの程度詳細に表示するか、どの種別の情報を表示するかなどを、異なる複数段階で設定できる。
【００４６】
ＳＴＡＲＴ／ＳＴＯＰキー１３３は、記録媒体Ｉ／Ｆ部１０４による記録の開始と停止の指示を行う。
【００４７】
フォーカスリング１３４は、フォーカス制御モードの設定がＭＦである場合に、ユーザがマニュアルで交換レンズ１０１のフォーカスレンズを移動してフォーカス調整操作を行うことができる。
【００４８】
ＡＦ／ＭＦスイッチ１３５は、フォーカス制御モードをＡＦとＭＦの間で相互に切り替える指示を行う。
【００４９】
＜撮像面位相差検出＞
図２は、画像センサとしての撮像素子１０２の受光面の一部を示している。
【００５０】
撮像素子１０２は、撮像面位相差ＡＦを可能にするために、１つのマイクロレンズに対して光電変換手段として受光部であるフォトダイオードを２つ保持している画素部がアレイ状に並べられている。これにより、各画素部で、交換レンズ１０１の射出瞳を分割した光束を受光することが可能になっている。
【００５１】
図２（Ａ）は、参考として、赤（Ｒ）、青（Ｂ）、緑（Ｇｂ、Ｇｒ）のベイヤー配列の場合の画像センサ表面の一部の模式図である。図２（Ｂ）は、図２（Ａ）のカラーフィルターの配列に対応させて、１つのマイクロレンズに対して光電変換手段としてのフォトダイオードを２つ保持している画素部を例示している。
【００５２】
こうした構成を有する画像センサは、各画素部から位相差検出用の２つの信号（以下、Ａ像信号、Ｂ像信号ともいう。）を出力できるように構成されている。また、２つのフォトダイオードの信号を加算した撮像画像の記録用の信号（Ａ像信号＋Ｂ像信号）も出力できるようになっている。この加算した信号の場合には、図２（Ａ）で概略説明したベイヤー配列例の画像センサの出力と同等の信号が出力される。
【００５３】
このような画像センサとしての撮像素子１０２からの出力信号を用いて、測距部１０８が２つの像信号の相関演算を行い、デフォーカス量や信頼性などの各種の情報を算出する。デフォーカス量は、Ａ像信号、Ｂ像信号のズレに基づき、像面でのデフォーカス量を算出する。デフォーカス量は正負の値を持っており、デフォーカス量が正の値であるか負の値であるかによって、前ピンであるか後ピンであるかが判別できる。また、デフォーカス量の絶対値によって、合焦の度合いが判別でき、デフォーカス量が０であれば合焦である。すなわち、測距部１０８は、測距情報（測距位置、測距領域（サイズ）、焦点検出位置、焦点検出領域）に基づいて算出したデフォーカス量の正負に基づき前ピンであるか後ピンであるかを示す情報を本体マイコン１１９のＣＰＵ１１９ａなどに出力する。また、デフォーカス量の絶対値に基づいて合焦度合い（ピントのズレの度合い）を示す情報をＣＰＵ１１９ａなどに出力する。また、測距部１０８は、前ピンであるか後ピンであるかを示す情報は、デフォーカス量が所定値を超える場合に出力し、デフォーカス量の絶対値が所定値以内である場合には、合焦であるという情報を出力する。なお、合焦度合いを示す情報は、デフォーカス量を、合焦するまでにフォーカスリング１３４を回転させる操作量に換算した値として出力される。
【００５４】
なお、本実施形態の撮像素子１０２は、撮像用の信号と、位相差検出用の２つの信号の計３つの信号を出力するが、これに限定されない。例えば、撮像用の信号と、位相差検出用の一対の像信号のうちの１つの計２つの信号を出力するようにしてもよい。この場合、出力後に位相差検出用の一対の像信号のうちの他の１つの信号は、撮像素子１０２からの２つの出力信号を利用して算出される。
【００５５】
また、図２の例では、１つのマイクロレンズに対して光電変換手段としてのフォトダイオードが２つ設けられている画素部がアレイ状に並べられている。これに対して、１つのマイクロレンズに対して光電変換手段としてのフォトダイオードが３つ以上設けられている画素部をアレイ状に並べてもよい。また、マイクロレンズに対して受光部の開口位置が異なる画素部を複数有するようにしてもよい。つまり、結果的にＡ像信号とＢ像信号といった位相差検出可能な位相差検出用の２つの信号が取得できれば十分である。
【００５６】
図３および図４は、デジタルカメラ１０が行う撮影モード処理を示すフローチャートである。なお、これらのフローチャートの動作は、本体マイコン１１９（詳しくはＣＰＵ１１９ａ）がＲＯＭ１１９ｂに格納されたプログラムをＲＡＭ１１９ｃに展開し、ＣＰＵ１１９ａがプログラムに基づいてデジタルカメラ１０の各部を制御することによって実現される。後述する図７および図８でも同様である。
【００５７】
＜フォーカスガイド表示処理＞
まず、図３を参照して、本実施形態のデジタルカメラ１０が撮影モードであるときのフォーカスガイド表示処理について説明する。なお、図３の処理は、デジタルカメラ１０を起動して撮影モードに設定されると開始される。
【００５８】
Ｓ３０１では、ＣＰＵ１１９ａは、ＲＡＭ１１９ｃに記憶されている表示モードを判定し、通常（等倍）表示モードの場合はＳ３０２へ進み、拡大表示モードの場合はＳ３１０へ進む。
【００５９】
Ｓ３０２では、ＣＰＵ１１９ａは、拡大キー１３１が押下されたか否かを判定し、押下されている場合はＳ３０３へ進み、押下されていない場合はＳ３０４へ進む。
【００６０】
Ｓ３０３では、ＣＰＵ１１９ａは、ＲＡＭ１１９ｃに記憶されている表示モードを拡大表示モードへ変更し、拡大倍率を変更する。
【００６１】
Ｓ３０４では、ＣＰＵ１１９ａは、画像処理部１１８および表示用Ｉ／Ｆ部１０６を制御して、撮像素子１０２に結像された画像に基づいて表示部１０７への表示用（以下、本体モニタ用）の等倍画像データを生成する。
【００６２】
Ｓ３０５では、ＣＰＵ１１９ａは、画像処理部１１８および外部出力Ｉ／Ｆ部１２０を制御して、撮像された画像データに基づいて外部モニタ用の等倍画像データを生成する。
【００６３】
Ｓ３０６では、ＣＰＵ１１９ａは、ＧＰＵ１１５を制御して、等倍表示モード用の表示要素をＶＲＡＭに描画する。Ｓ３０７では、ＣＰＵ１１９ａは、後述する図４に従って、等倍表示モード用のフォーカスガイドをＶＲＡＭに描画する。
【００６４】
Ｓ３０８では、ＣＰＵ１１９ａは、Ｓ３０４で生成された表示用の等倍画像データ、Ｓ３０６で描画された表示要素のデータ、Ｓ３０７で描画されたフォーカスガイドのデータを、表示用Ｉ／Ｆ部１０６によってリサイズおよび合成する。図５（Ａ）は、等倍表示モードにおいて表示部１０７に表示される画面を例示している。フォーカスガイド５０１Ａは、枠５０１ａと指標５０１ｂを含む。アイコン５０２はＳ３０６で描画された表示要素に対応しており、ＡＦ／ＭＦスイッチ１３５でフォーカス動作がＭＦに設定されていることを示している。被写体５０３は撮像素子１０２に結像された画像であり、等倍画像データの一部である。また、図５（Ａ）、（Ｂ）に示す画面には他の表示要素も表示されている。これらの表示要素はＳ３０６で描画されたものである。
【００６５】
Ｓ３０９では、ＣＰＵ１１９ａは、Ｓ３０５で生成された外部モニタ用の等倍画像データ、Ｓ３０６で描画された表示要素のデータ、Ｓ３０７で描画されたフォーカスガイドのデータを、外部出力Ｉ／Ｆ部１２０によってリサイズおよび合成する。この場合、外部出力部１２１に接続された外部モニタなどに表示される内容は、表示解像度を除いてＳ３０８で表示部１０７に表示される内容と同じである。
【００６６】
Ｓ３１０では、ＣＰＵ１１９ａは、Ｓ３０２と同様に、拡大キー１３１が押下されたか否かを判定し、押下されている場合はＳ３１１へ進み、押下されていない場合はＳ３１２へ進む。
【００６７】
Ｓ３１１では、ＣＰＵ１１９ａは、ＲＡＭ１１９ｃに記憶されている拡大倍率を変更する。ＣＰＵ１１９ａは、拡大倍率が所定の最大値であった場合は、拡大倍率を等倍とし、表示モードを等倍表示モードへ変更し、Ｓ３０１へ進む。
【００６８】
Ｓ３１２では、ＣＰＵ１１９ａは、Ｓ３０４と同様に、画像処理部１１８および表示用Ｉ／Ｆ部１０６を制御して、本体モニタ用の等倍画像データを生成する。
【００６９】
Ｓ３１３では、ＣＰＵ１１９ａは、画像処理部１１８および外部出力Ｉ／Ｆ部１２０を制御して、外部モニタ用の拡大画像データを生成する。
【００７０】
Ｓ３１４では、ＣＰＵ１１９ａは、ＧＰＵ１１５を制御して、拡大表示モード用の表示要素をＶＲＡＭに描画する。Ｓ３１５では、ＣＰＵ１１９ａは、後述する図４に従って、拡大表示モード用のフォーカスガイドをＶＲＡＭに描画する。
【００７１】
Ｓ３１６では、ＣＰＵ１１９ａは、Ｓ３１２で生成された本体モニタ用の等倍画像データとＳ３１４で描画された表示要素のデータを、表示用Ｉ／Ｆ部１０６によってリサイズおよび合成する。図５（Ｂ）は、拡大表示モードにおいて表示部１０７に表示される画面を例示している。Ｓ３１５で描画されたフォーカスガイドは、等倍画像データに合成するために生成されたものではないため、図５（Ｂ）の画面には表示されない。アイコン５０２は図５（Ａ）と同様であり、Ｓ３１４で描画された表示要素である。被写体５０３も図５（Ａ）と同様であり、Ｓ３１２で生成された等倍画像データの一部である。アイコン５０４は、Ｓ３１４で描画された表示要素であり、拡大表示モードであることを示している。
【００７２】
このように、等倍表示モードでは外部モニタおよび表示部１０７の両方にフォーカスガイドが表示されるが、拡大表示モードでは外部モニタのみにフォーカスガイドが表示され、表示部１０７には表示されない。この場合、表示部１０７にアイコン５０４が表示されることで、表示部１０７を利用しているユーザは、外部出力部１２１に接続された外部モニタで映像を拡大表示しているために、表示部１０７にフォーカスガイドが表示されなくなったことを認知することができる。なお、拡大倍率が所定の閾値以上となった場合に表示部１０７のフォーカスガイドを非表示にするように制御してもよい。
【００７３】
Ｓ３１７では、ＣＰＵ１１９ａは、Ｓ３１３で生成された外部モニタ用の拡大画像データ、Ｓ３１４で描画された表示要素のデータ、Ｓ３１５で描画されたフォーカスガイドのデータを、外部出力Ｉ／Ｆ部１２０によってリサイズおよび合成する。図５（Ｃ）は、拡大表示モードにおいて外部出力部１２１に接続された外部モニタに表示される画面を例示している。フォーカスガイド５０１Ｂは、フォーカスガイド５０１Ａを拡大表示倍率に応じて拡大したものであり、枠５０１ａと指標５０１ｂを含む。ただし、枠の太さや輪郭の太さはフォーカスガイド５０１Ａと同等になるように制御される。そのため、フォーカスガイド５０１Ａと比べて大きく表示されていても、下層に表示される被写体の視認性を妨げることがない。アイコン５０２、被写体５０３は、図５（Ａ）と同様である。また、アイコン５０４は図５（Ｂ）と同様である。その後、Ｓ３１８へ進む。
【００７４】
Ｓ３１８では、ＣＰＵ１１９ａは、Ｓ３０８およびＳ３０９、もしくはＳ３１６およびＳ３１７で合成された画像データを、表示部１０７と外部出力部１２１へそれぞれ出力する。
【００７５】
図４は、図３のＳ３０７およびＳ３１５における処理の詳細を示すフローチャートである。
【００７６】
Ｓ４０１では、ＣＰＵ１１９ａは、ＲＡＭ１１９ｃに記憶されている測距情報（測距位置および測距サイズ）を読み出す。
【００７７】
Ｓ４０２では、ＣＰＵ１１９ａは、Ｓ４０１で得られた測距情報に対応する被写体について、合焦情報および測距成否の情報を、測距部１０８から取得する。合焦情報は、前述のように、デフォーカス量に基づいて算出された合焦・前ピン・後ピンのいずれの状態にあるかという情報と合焦度合い情報を含む。
【００７８】
Ｓ４０３では、ＣＰＵ１１９ａは、現在の表示モードが拡大表示モードであるか否かを判定し、拡大表示モードの場合はＳ４０４へ進み、それ以外の場合はＳ４０５へ進む。
【００７９】
Ｓ４０４では、ＣＰＵ１１９ａは、ＲＡＭ１１９ｃに記憶されている拡大倍率および拡大位置を読み出す。
【００８０】
Ｓ４０５では、ＣＰＵ１１９ａは、Ｓ４０４までの処理で得られた情報に基づいて、ＧＰＵ１１５によって描画するフォーカスガイドの枠表示サイズ、枠表示位置、指標角度および表示色を決定する。枠表示サイズは、測距サイズと拡大倍率によって決定する。枠表示位置は、測距位置および拡大位置によって決定する。指標角度は、合焦・前ピン・後ピンのいずれの状態にあるかという情報と、前ピンまたは後ピンの場合の、合焦度合い情報に基づいて決定する。表示色は、合焦・前ピン・後ピンのいずれの状態にあるかという情報と、測距成否の情報に基づいて決定する。詳細は後述する。
【００８１】
Ｓ４０６では、ＣＰＵ１１９ａは、Ｓ４０２で得られた測距成否の情報を参照することにより測距が成功したか否か判定し、成功している場合はＳ４０７へ進み、失敗している場合はＳ４１２へ進む。
【００８２】
Ｓ４０７では、ＣＰＵ１１９ａは、Ｓ４０２で得られた情報について、被写体が合焦状態にあるか非合焦状態にあるかを判定し、合焦状態である場合はＳ４０９へ進み、非合焦状態である場合はＳ４０８へ進む。
【００８３】
Ｓ４０８では、ＣＰＵ１１９ａは、Ｓ４０２で得られた情報について、被写体が前ピン状態であるか後ピン状態であるかを判定し、前ピン状態である場合はＳ４１０へ進み、後ピン状態である場合はＳ４１１へ進む。
【００８４】
Ｓ４０９では、ＣＰＵ１１９ａは、被写体が合焦状態である場合の表示形態である指標パターンＡに対応するフォーカスガイドのデータを選択する。図６（Ａ）は、指標パターンＡの場合のフォーカスガイドの枠と指標のデータの表示例を示している。指標６０１は、合焦状態（焦点検出領域の被写体に合焦している状態）を示しており、後述する指標６０４と指標６０５が互いに重なって一体化し、さらに指標６０３と隣接した位置（指標６０３が示す位置）になっている。また、色も他の状態とは異なる緑色で表示している。このような表示形態とすることで、合焦状態やその付近では、他の状態に比べて指標の表示面積が小さくなるため、ユーザの映像の視認性への影響を小さくすることができる。枠６０２は、ライブビュー画像についてＳ４０１で得られた測距位置に対応する領域を示している。
【００８５】
Ｓ４１０では、ＣＰＵ１１９ａは、被写体が前ピン状態である場合の表示形態である指標パターンＢに対応するフォーカスガイドのデータを選択する。図６（Ｂ−１）、（Ｂ−２）は、指標パターンＢの場合のフォーカスガイドの枠と指標のデータの表示例を示している。指標６０３は合焦状態へ向かうための指標６０４と指標６０５の目標地点を示しており、枠６０２に向かう白色の三角形で表現されている。指標６０４と指標６０５は、互いの表示距離によって、測距位置に対応する領域の合焦度合いを示しており、枠６０２から離れる側を向いた三角形で表現されている。被写体とデジタルカメラ１０の距離が変動すると、合焦度合いが変化するため、指標６０４と指標６０５との間隔が狭まったり広がったり動的に表示位置が変化する。指標６０４と指標６０５との距離（角度）は、合焦度合い情報に基づき、焦点検出領域において合焦からのズレが大きい場合に比べて小さい場合の方が表示距離が小さくなる（狭くなる、角度は小さくなる）ように変化する。すなわち、図６（Ｂ−１）は被写体が比較的小さくボケている（ピントのズレの度合いが小さい）場合、図６（Ｂ−２）は被写体が比較的大きくボケている（ピントのズレの度合いが大きい）場合をそれぞれ示している。指標６０３と指標６０４および指標６０５が、合焦近傍において互いに頂点が向かい合う三角形を形成していることによって、合焦付近の微妙なピントずれも視認しやすいようになっている。また、各指標６０３〜６０５は枠６０２の近傍に表示されるため、撮影者は被写体から視線を大きくそらすことなく合焦状態を確認できる。また、フォーカスガイドを複数の位置について同時に表示可能な場合でも、それぞれの枠と指標の結びつきが分かりやすくなっている。
【００８６】
Ｓ４１１では、ＣＰＵ１１９ａは、被写体が後ピン状態である場合の表示形態である指標パターンＣに対応するフォーカスガイドのデータを選択する。図６（Ｃ−１）、（Ｃ−２）は、指標パターンＣの場合の枠と指標のデータの表示例を示している。図６（Ｂ−１）や図６（Ｂ−２）と異なり、指標６０３が枠６０２から離れる側を向いた白色の三角形で表現されており、指標６０４および指標６０５が枠６０２に向かう三角形で表現されている。したがって、一目で前ピンか後ピンかを区別できるような表示形態となっている。図６（Ｃ−１）は被写体が比較的小さくボケている（ピントのズレの度合いが小さい）場合、図６（Ｃ−２）は被写体が比較的大きくボケている（ピントのズレの度合いが大きい）場合を示している。
【００８７】
Ｓ４１２では、ＣＰＵ１１９ａは、被写体が大ボケ状態である場合の表示形態である指標パターンＤに対応するフォーカスガイドのデータを選択する。図６（Ｄ）は、指標パターンＤの場合の枠と指標のデータの表示例を示している。指標６０３および指標６０４および指標６０５はいずれも四角形で表現されており、図６（Ａ）、図６（Ｂ−１）、図６（Ｂ−２）、図６（Ｃ−１）、図６（Ｃ−２）に示した指標とは形状が異なる。また、色も灰色で表示される。これによって、前ピン・後ピンの判定に失敗した（すなわち、測距に失敗した）大ボケの状態であることを視覚的に示している。
【００８８】
Ｓ４１３では、ＣＰＵ１１９ａは、Ｓ４０５で決定した枠表示位置、枠サイズ、指標角度、表示色で、Ｓ４０９からＳ４１２のいずれかで選択された指標と枠の表示用データを、ＧＰＵ１１５によってＶＲＡＭに描画する。
【００８９】
本実施形態においては、フォーカスガイドおよび表示要素の表示用データが共通のＶＲＡＭに描画される。これにより、処理性能やＶＲＡＭの容量の制約などでフォーカスガイドを描画するＶＲＡＭを１つしか使用できない場合であっても、外部モニタにおいて拡大映像とフォーカスガイドの表示を両立できる。
【００９０】
また、映像が拡大表示されない表示部１０７ではフォーカスガイドは表示されないが、フォーカス状態に応じて映像を破綻なく表示することができる。また、アイコン５０４が表示されることで、表示部１０７を利用しているユーザは、外部出力部１２１に接続された外部モニタで映像を拡大表示しているために、表示部１０７にフォーカスガイドが表示されなくなったことを認知することができる。
【００９１】
なお、本実施形態では、拡大表示モードにおいて拡大表示されるのが外部モニタ、等倍表示されるのが本体モニタとして説明したが、撮影用途や撮影方法などによって、拡大表示される側と等倍表示される側を反対にしてもよい。また、デジタルカメラ１０のメニュー設定によって、どちらのモニタを拡大表示するかをユーザが選択できるようにしてもよい。デジタルカメラ１０が、ビューファインダーなど３つ目の映像出力を備えている場合は、３つの出力のうちの１つないし２つの出力でフォーカスガイドの表示を行うようにしてもよい。
【００９２】
［実施形態２］次に、実施形態２について説明する。
【００９３】
本実施形態のハードウェア構成は、実施形態１と同様である。ただし、ＲＡＭ１１９ｃは表示部１０７と外部出力部１２１それぞれに対して個別のフォーカスガイドを表示するために十分なＶＲＡＭの容量を備えている。また、ＧＰＵ１１５その他のＶＲＡＭへの描画に関わる処理ブロックは、表示部１０７と外部出力部１２１それぞれに対して個別のフォーカスガイドを表示するために十分な性能を備えている。
【００９４】
＜フォーカスガイド表示処理＞
まず、図７を参照して、本実施形態のデジタルカメラ１０が撮影モードであるときのフォーカスガイド表示処理について説明する。なお、図７の処理は、デジタルカメラ１０を起動して撮影モードに設定されると開始される。
【００９５】
なお、図７において図３と同様の処理には同一の符号を付しており、図３と異なる処理を中心に説明を行う。
【００９６】
Ｓ７０１では、ＣＰＵ１１９ａは、ＲＡＭ１１９ｃに記憶されている表示モードを拡大表示モードへ変更し、拡大倍率を変更した後、Ｓ３０１へ進む。この場合、ＲＡＭ１１９ｃに記憶する測距サイズは、拡大倍率に応じて等倍表示モードよりも小さな値に変更される。
【００９７】
Ｓ７０２では、ＣＰＵ１１９ａは、ＲＡＭ１１９ｃに記憶されている拡大倍率を変更し、測距サイズを拡大倍率に応じた値に変更する。また、拡大倍率が所定の最大値であった場合、ＣＰＵ１１９ａは、拡大倍率を等倍に変更し、測距サイズを等倍表示モードの値に変更し、ＲＡＭ１１９ｃに記憶されている表示モードを等倍表示モードへ変更し、Ｓ３０１へ進む。
【００９８】
Ｓ７０３では、ＣＰＵ１１９ａは、ＲＡＭ１１９ｃに記憶されている拡大倍率を読み出す。
【００９９】
Ｓ７０４では、ＣＰＵ１１９ａは、Ｓ７０３で得られた拡大倍率が所定の閾値以上であるか否かを判定し、所定の閾値以上である場合はＳ７０５へ進み、所定の閾値未満である場合はＳ７０６へ進む。
【０１００】
Ｓ７０５では、ＣＰＵ１１９ａは、拡大表示モードにおける等倍表示用フォーカスガイドをＶＲＡＭに描画する。この描画処理は図４で示した処理と同一であるが、測距サイズが変更されているため、描画されるフォーカスガイドの表示形態はＳ３０７で描画されたものとは異なる。このフォーカスガイドの詳細は後述する。
【０１０１】
Ｓ７０６では、ＣＰＵ１１９ａは、後述する図８に従って、拡大表示モードにおける等倍表示用フォーカス枠をＶＲＡＭに描画する。
【０１０２】
Ｓ７０７では、ＣＰＵ１１９ａは、Ｓ３１５と同様に、図４に従って、拡大表示モード用のフォーカスガイドをＶＲＡＭに描画する。
【０１０３】
Ｓ７０８では、ＣＰＵ１１９ａは、Ｓ３１２で生成された本体モニタ用の等倍画像データ、Ｓ３１４で描画された表示要素のデータ、Ｓ７０５またはＳ７０６で描画されたフォーカスガイドのデータを、表示用Ｉ／Ｆ部１０６によってリサイズおよび合成する。図９（Ａ）および図９（Ｂ）は、拡大表示モードにおいて表示部１０７に表示される画面を例示している。図９（Ａ）および図９（Ｂ）において、図５（Ａ）と同一要素には同一の符号を付して示している。図９（Ａ）に示すフォーカスガイド９０１Ａは、Ｓ７０５で描画されたフォーカスガイドである。図９（Ｂ）に示すフォーカスガイド９０１Ｂは、Ｓ７０６で描画されたフォーカスガイドである。フォーカスガイド９０１Ａの枠９０１ａは、Ｓ７０２で変更された測距サイズに合わせて、図５（Ａ）のフォーカスガイド５０１Ａの枠５０１ａよりも枠９０１ｂで囲まれた領域が小さくなっている。また、フォーカスガイド９０１Ａの指標９０１ｂのサイズはフォーカスガイド５０１Ａの指標５０１ｂと同等であり、ガイドとしての視認性が維持されている。図９（Ｂ）に示すフォーカスガイド９０１Ｂは、図９（Ａ）の指標９０１ｂは表示されず、測距サイズに応じて変更された枠９０１ｃのみが表示される。フォーカスガイド９０１Ａの枠９０１ａとフォーカスガイド９０１Ｂの枠９０１ｃはいずれも、枠の太さや輪郭の太さは図５（Ａ）のフォーカスガイド５０１Ａと同等になるよう制御される。そのため、図５（Ａ）のフォーカスガイド５０１Ａと比べて小さく表示されていても、枠としての視認性が維持されている。
【０１０４】
Ｓ７０９では、ＣＰＵ１１９ａは、Ｓ３１３で生成された外部モニタ用の拡大画像データ、Ｓ３１４で描画された表示要素のデータ、Ｓ７０７で描画されたフォーカスガイドのデータを、外部出力Ｉ／Ｆ部１２０によってリサイズおよび合成する。図９（Ｃ）は、拡大表示モードにおいて外部出力部１２１に接続された外部モニタに表示される画面を例示している。フォーカスガイド９０１Ｃは、Ｓ７０７で描画されたフォーカスガイドである。フォーカスガイド９０１Ｃは、Ｓ７０２で変更された測距サイズに合わせて、枠９０１ｄおよび指標９０１ｅが小さくなっている。また、フォーカスガイド９０１Ｃは、合成される画像データに対する相対的な枠９０１ｃの大きさおよび位置が、フォーカスガイド９０１Ａ、９０１Ｂと同等となっている。また、フォーカスガイド９０１Ｃの枠９０１ｄは、図５（Ａ）のフォーカスガイド５０１Ａの枠５０１ａに内包され、画像全体に対する相対的な大きさがフォーカスガイド５０１Ａの枠５０１ａのサイズよりも小さい領域を拡大して表示される。また、外部モニタに表示されるフォーカスガイド９０１Ｃの表示形態（枠９０１ｄ＋指標９０１ｅ）は、表示部１０７に表示されるフォーカスガイド９０１Ｂの表示形態（枠９０１ｃのみ）と異なっている。
【０１０５】
図８は、図７のＳ７０６における処理の詳細を示すフローチャートである。
【０１０６】
Ｓ８０１では、ＣＰＵ１１９ａは、ＲＡＭ１１９ｃに記憶されている測距情報（測距位置および測距サイズ）を読み出す。
【０１０７】
Ｓ８０２では、ＣＰＵ１１９ａは、ＲＡＭ１１９ｃに記憶されている拡大倍率および拡大位置を読み出す。
【０１０８】
Ｓ８０３では、ＣＰＵ１１９ａは、Ｓ８０１およびＳ８０２で得られた情報に基づいて、ＧＰＵ１１５により描画するフォーカス枠の表示サイズおよび枠表示位置を決定する。
【０１０９】
Ｓ８０４では、ＣＰＵ１１９ａは、フォーカス枠の表示用データを、Ｓ８０３で決定された表示サイズおよび枠表示位置で、ＧＰＵ１１５によってＶＲＡＭに描画する。
【０１１０】
以上の処理によって、フォーカスガイドとして機能させる指標を描画せずに、枠部分のみのデータをＶＲＡＭに描画することができる。
【０１１１】
このように、本実施形態によれば、フォーカス確認用に利用される外部モニタにおいて、拡大表示に合わせてより小さな領域の合焦度合をフォーカスガイドで示すことができる。よって、拡大倍率が大きくなるほど、より局所領域の合焦度合をフォーカスガイドで確認することができるようになる。一方、拡大表示しない表示部１０７では、拡大倍率が閾値未満であれば、外部モニタと同様に局所領域の合焦度合をフォーカスガイドで確認できる。また、測距サイズが小さくなるほどフォーカスガイドの枠部分は小さくなるが、指標部分のサイズは維持されるため、ガイドとしての機能を維持することができる。また、拡大倍率が所定の閾値以上となった場合は、フォーカスガイドの枠のみを表示することで、例えば、外部モニタを利用するフォーカスマンが映像のどこに注目しているかを表示部１０７で確認できるようにすることができる。また、外部モニタを利用するフォーカスマンに映像のどこを注目してほしいかを、表示部１０７を利用するアシスタントが十字キー１２５等を用いて指示することも可能である。
【０１１２】
なお、本実施形態では、拡大表示モードにおいて拡大表示されるのが外部モニタ、等倍表示されるのが本体モニタとして説明したが、撮影用途や撮影方法などによって、拡大表示される側と等倍表示される側を反対にしてもよい。また、デジタルカメラ１０のメニュー設定によって、どちらのモニタを拡大表示するかをユーザが選択できるようにしてもよい。デジタルカメラ１０が、ビューファインダーなど３つ目の映像出力を備えている場合は、３つの出力のうちの１つないし２つの出力で拡大表示を行い、残りの出力で等倍表示を行うようにしてもよい。
【０１１３】
なお、拡大倍率が所定の閾値以上となった場合は、表示部１０７にフォーカスガイド全体を表示しないように制御してもよい。拡大倍率によってデジタルカメラ１０の各部の処理負荷が高まるようなシステムの場合には、このようにすることでＶＲＡＭへの描画データ量と合成処理の負荷を削減し、処理負荷のバランスを保つことができる。
【０１１４】
［他の実施形態］
上述した実施形態において、ＣＰＵ１１９ａが行うものとして説明した上述の各種制御は１つのハードウェアが行ってもよいし、複数のハードウェア（例えば、複数のプロセッサや回路）が処理を分担することで、装置全体の制御を行ってもよい。
【０１１５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１６】
また、上述した実施形態においては、本発明をデジタルカメラ１０に適用した場合を例にして説明したが、この例に限定されず、複数の映像出力を備え、映像出力を拡大表示でき、フォーカスガイドを表示可能な電子機器であれば適用可能である。すなわち、本発明は、カメラ機能を備える機器、例えば、パーソナルコンピュータやその一種であるタブレット、携帯電話やその一種であるスマートフォン（眼鏡型端末や腕時計型端末を含む）、ＰＤＡ（携帯情報端末）、携帯型の画像ビューワ、デジタルフォトフレーム、音楽プレーヤ、ゲーム機、電子ブックリーダ、医療機器などに適用可能である。
【０１１７】
また、カメラ本体に限らず、有線または無線通信を介してカメラ（ネットワークカメラを含む）と通信し、カメラを遠隔で制御する制御装置にも本発明を適用可能である。カメラを遠隔で制御する装置としては、例えば、スマートフォンやタブレットＰＣ、デスクトップＰＣなどの装置がある。制御装置側で行われた操作や制御装置側で行われた処理に基づいて、制御装置側からカメラに各種動作や設定を行わせるコマンドを通知することにより、カメラを遠隔から制御可能である。また、カメラで撮影したライブビュー画像を有線または無線通信を介して受信して制御装置で表示できるようにしてもよい。
【０１１８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１１９】
１０…デジタルカメラ、１０２…撮像素子、１０７…表示部、１１５…ＧＰＵ、１１７…メモリ、１１８…画像処理部、１１９…本体マイコン、１２１…外部出力部、１３１…拡大キー
【図１】
2019186728.tif 000003
【図２】
2019186728.tif 000004
【図３】
2019186728.tif 000005
【図４】
2019186728.tif 000006
【図５】
2019186728.tif 000007
【図６】
2019186728.tif 000008
【図７】
2019186728.tif 000009
【図８】
2019186728.tif 000010
【図９】
2019186728.tif 000011